(57)【特許請求の範囲】
【請求項１】
通信ネットワークを介して接続された各端末からの操作データによって、仮想空間に存在する仮想ユーザの動作を管理するゲームサーバであって、
前記端末に提供するゲームは、機能別に複数のゲームパートから構成され、
前記ゲーム内で消費可能な仮想アイテムは、前記ゲームパートごとに設定されており、前記仮想ユーザが取得するごとに前記仮想ユーザの所有アイテムとして蓄積されるものであり、
前記所有アイテムとして蓄積された仮想アイテムは、前記仮想ユーザを操作する端末から受信した操作データに基づいて消費されるものであり、
前記仮想ユーザの所有する仮想アイテムの数が、所定の閾値以上であるか否かを判別するアイテム判別部と、
一の仮想アイテムの数が所定の閾値以上であると前記アイテム判別部が判別した場合に、新たに所定のイベントを追加するイベント発生部と、を備え、
前記イベント発生部は、前記一の仮想アイテムを消費可能なゲームパートを判別し、前記一の仮想アイテムを消費可能なゲームパートに前記所定のイベントを追加することを特徴とするゲームサーバ。
【請求項２】
前記イベント発生部は、前記所定のイベントとして、前記仮想ユーザが前記一の仮想アイテムを消費することにより前記一の仮想アイテムとは別の他の仮想アイテムを取得できるイベントを追加することを特徴とする、請求項１に記載のゲームサーバ。
【請求項３】
前記イベント発生部は、前記仮想ユーザの所有する仮想アイテムのうち、所有数が所定の閾値未満である仮想アイテムを抽出し、
前記他の仮想アイテムとして、前記抽出した仮想アイテムを取得できるイベントを追加することを特徴とする、請求項２に記載のゲームサーバ。
【請求項４】
前記イベント発生部は、前記イベントを発生させる確率を、所有数が所定の閾値以上であると判別しなかった場合と比較して高く設定することを特徴とする、請求項１から３のいずれか１項に記載のゲームサーバ。
【請求項５】
前記アイテム判別部は、前記イベント発生部が前記イベントを発生させた後に、前記仮想ユーザの所有する前記一の仮想アイテムの数が、前記所定の閾値未満であるか否かを判別し、
前記イベント発生部は、前記一の仮想アイテムの数が前記所定の閾値未満であると前記アイテム判別部が判別した場合に、前記イベントを終了させることを特徴とする、請求項１から４のいずれか１項に記載のゲームサーバ。
【請求項６】
前記アイテム判別部は、前記イベントの終了時に前記一の仮想アイテムの数が前記所定の閾値以上であるか否かを判別し、
前記一の仮想アイテムの数が前記所定の閾値以上であると前記アイテム判別部が判別した場合に、前記一の仮想アイテムに対して使用期限を設定する期限設定部をさらに備えることを特徴とする、請求項１から４のいずれか１項に記載のゲームサーバ。
【請求項７】
通信ネットワークを介して接続された各端末からの操作データによって、仮想空間に存在する仮想ユーザの動作を管理するゲームサーバであって、
前記仮想ユーザの所有する仮想アイテムの数が、所定の閾値以上であるか否かを判別するアイテム判別部と、
一の仮想アイテムの数が所定の閾値以上であると前記アイテム判別部が判別した場合に、前記仮想ユーザが前記一の仮想アイテムを消費可能なイベントを発生させるイベント発生部と、
前記アイテム判別部が前記イベントの終了時に前記一の仮想アイテムの数が前記所定の閾値以上であるか否かを判別し、前記一の仮想アイテムの数が前記所定の閾値以上であると前記アイテム判別部が判別した場合に、前記一の仮想アイテムに対して使用期限を設定する期限設定部と、を備えることを特徴とするゲームサーバ。
【請求項８】
通信ネットワークを介して接続された各端末からの操作データによって、仮想空間に存在する仮想ユーザの動作を管理するコンピュータが実行するゲーム制御方法であって、
前記端末に提供するゲームは、機能別に複数のゲームパートから構成され、
前記ゲーム内で消費可能な仮想アイテムは、前記ゲームパートごとに設定されており、前記仮想ユーザが取得するごとに前記仮想ユーザの所有アイテムとして蓄積されるものであり、
前記所有アイテムとして蓄積された仮想アイテムは、前記仮想ユーザを操作する端末から受信した操作データに基づいて消費されるものであり、
前記仮想ユーザの所有する仮想アイテムの数が、所定の閾値以上であるか否かを判別するステップと、
一の仮想アイテムの数が所定の閾値以上であると判別した場合に、新たに所定のイベントを追加するステップと、を前記コンピュータが実行し、
前記所定のイベントを追加するステップでは、前記一の仮想アイテムを消費可能なゲームパートを判別し、前記一の仮想アイテムを消費可能なゲームパートに前記所定のイベントを追加することを特徴とするゲーム制御方法。
【請求項９】
通信ネットワークを介して接続された各端末からの操作データによって、仮想空間に存在する仮想ユーザの動作を管理するコンピュータに実現させるゲームプログラムであって、
前記端末に提供するゲームは、機能別に複数のゲームパートから構成され、
前記ゲーム内で消費可能な仮想アイテムは、前記ゲームパートごとに設定されており、前記仮想ユーザが取得するごとに前記仮想ユーザの所有アイテムとして蓄積されるものであり、
前記所有アイテムとして蓄積された仮想アイテムは、前記仮想ユーザを操作する端末から受信した操作データに基づいて消費されるものであり、
前記仮想ユーザの所有する仮想アイテムの数が、所定の閾値以上であるか否かを判別する機能と、
一の仮想アイテムの数が所定の閾値以上であると判別した場合に、新たに所定のイベントを追加する機能と、を前記コンピュータに実現させ、
前記所定のイベントを追加する機能は、前記一の仮想アイテムを消費可能なゲームパートを判別し、前記一の仮想アイテムを消費可能なゲームパートに前記所定のイベントを追加する機能であることを特徴とするゲームプログラム。
【請求項１０】
通信ネットワークを介して接続された各端末からの操作データによって、仮想空間に存在する仮想ユーザの動作を管理するコンピュータに実現させるゲームプログラムを記録したゲームプログラム記録媒体であって、
前記端末に提供するゲームは、機能別に複数のゲームパートから構成され、
前記ゲーム内で消費可能な仮想アイテムは、前記ゲームパートごとに設定されており、前記仮想ユーザが取得するごとに前記仮想ユーザの所有アイテムとして蓄積されるものであり、
前記所有アイテムとして蓄積された仮想アイテムは、前記仮想ユーザを操作する端末から受信した操作データに基づいて消費されるものであり、
前記仮想ユーザの所有する仮想アイテムの数が、所定の閾値以上であるか否かを判別する機能と、
一の仮想アイテムの数が所定の閾値以上であると判別した場合に、新たに所定のイベントを追加する機能と、を前記コンピュータに実現させ、
前記所定のイベントを追加する機能は、前記一の仮想アイテムを消費可能なゲームパートを判別し、前記一の仮想アイテムを消費可能なゲームパートに前記所定のイベントを追加する機能であることを特徴とするゲームプログラムを記録したコンピュータ読み取り可能なゲームプログラム記録媒体。
【請求項１１】
ゲームサーバと、
前記ゲームサーバと通信ネットワークを介して接続された１以上の端末とから構成され、
前記ゲームサーバは、
通信ネットワークを介して接続された各端末からの操作データによって、仮想空間に存在する仮想ユーザの動作を管理するゲームサーバであって、
前記端末に提供するゲームは、機能別に複数のゲームパートから構成され、
前記ゲーム内で消費可能な仮想アイテムは、前記ゲームパートごとに設定されており、前記仮想ユーザが取得するごとに前記仮想ユーザの所有アイテムとして蓄積されるものであり、
前記所有アイテムとして蓄積された仮想アイテムは、前記仮想ユーザを操作する端末から受信した操作データに基づいて消費されるものであり、
前記仮想ユーザの所有する仮想アイテムの数が、所定の閾値以上であるか否かを判別するアイテム判別部と、
一の仮想アイテムの数が所定の閾値以上であると前記アイテム判別部が判別した場合に、新たに所定のイベントを追加するイベント発生部と、を有し、
前記イベント発生部は、前記一の仮想アイテムを消費可能なゲームパートを判別し、前記一の仮想アイテムを消費可能なゲームパートに前記所定のイベントを追加し、
前記端末は、前記操作データを受け付ける操作入力部を有することを特徴とするゲームシステム。
【発明の詳細な説明】
【技術分野】
【０００１】
本発明は、通信ネットワークを介して接続された各端末からの操作データによって、仮想空間に存在する仮想ユーザの動作を管理するゲームサーバ、ゲームサーバで提供するゲームの進行を制御するゲーム制御方法、ゲームプログラム、ゲームプログラム記録媒体及びゲームシステムに関するものである。
【背景技術】
【０００２】
近年、スマートフォンに代表される高機能な携帯端末の普及に伴い、ソーシャルネットワーキングサービス（ＳＮＳ）を利用して提供されるゲームとしてソーシャルネットワークゲーム（以下、ソーシャルゲームという。）が普及している。ソーシャルゲームは、端末を操作する実ユーザが、通信ネットワークを介して、ゲームサーバによって構築された仮想空間に存在する仮想ユーザを操作することによって、同一の仮想空間に存在する他の仮想ユーザとのコミュニケーションを取りながらオンラインでプレイするゲームである。
【０００３】
このようなソーシャルゲームの一態様として、仮想ユーザの行動やストーリーなどに基づき、例えばクエストパート、バトルパート、強化パート、ガチャパートなどの複数のゲームパートが組み合わさって一つのシナリオが成立し、一つのゲームが構成されるものがある（例えば、特許文献１参照）。
【０００４】
このようなゲームでは、仮想ユーザがゲーム内でのみ使用可能なアイテムが存在する（以下、このアイテムを仮想空間内で用いることから「仮想アイテム」という。）。仮想アイテムには、例えば、クエストパートで冒険ルートを進行するのに必要なクエスト用アイテムや、バトルパートで敵を倒すのに必要なバトル用アイテム等がある。これらの仮想アイテムは、ゲームをプレイする中で獲得することができるほか、ログインボーナスのようなゲームにログインした報酬としても獲得することができる。
【先行技術文献】
【特許文献】
【０００５】
【特許文献１】特開２０１２−２４２４８号公報
【発明の概要】
【発明が解決しようとする課題】
【０００６】
ところで、ゲームが進捗すると、仮想ユーザは、仮想アイテムの獲得機会が多くなり、ゲーム内で使用することのない余剰の仮想アイテムを所有することになる。ゲームでは、仮想ユーザが所有可能な仮想アイテムの上限数が設けられている。仮想アイテムの所有数が上限数を超える場合には、それ以上新しい仮想アイテムを獲得できなくなるか、既に所持する仮想アイテムのうち古いものから自動的に消滅するような設定になっているのが一般的である。この場合、仮想ユーザは、新たな仮想アイテムを獲得できるように、又は必要な仮想アイテムが自動的に消滅しないように、余剰の仮想アイテムを削除したり、売却したりする等の必要があった。そこで、獲得した仮想アイテムをゲーム内でのプレイに使用して有効に消費できるような仮想アイテムの消費機会をユーザに提供する施策が潜在的に望まれていた。
【０００７】
本発明は、上述した課題に鑑みてなされたものであり、ゲーム内で獲得した余剰する仮想アイテムをゲーム内のプレイにより有効に消費することが可能なゲームサーバ、ゲームサーバで提供するゲームの進行を制御するゲーム制御方法、ゲームプログラム、ゲームプログラムを記録したゲームプログラム記録媒体及びゲームシステムを提供することを目的とする。
【課題を解決するための手段】
【０００８】
上述した従来の課題を解決するため、本発明は、以下の手段を有する。
【０００９】
（１）本発明のゲームサーバは、通信ネットワークを介して接続された各端末からの操作データによって、仮想空間に存在する仮想ユーザの動作を管理するゲームサーバであって、前記端末に提供するゲームは、機能別に複数のゲームパートから構成され、前記ゲーム内で消費可能な仮想アイテムは、前記ゲームパートごとに設定されており、前記仮想ユーザが取得するごとに前記仮想ユーザの所有アイテムとして蓄積されるものであり、前記所有アイテムとして蓄積された仮想アイテムは、前記仮想ユーザを操作する端末から受信した操作データに基づいて消費されるものであり、前記仮想ユーザの所有する仮想アイテムの数が、所定の閾値以上であるか否かを判別するアイテム判別部と、一の仮想アイテムの数が所定の閾値以上であると前記アイテム判別部が判別した場合に、新たに所定のイベントを追加するイベント発生部と、を備え、前記イベント発生部は、前記一の仮想アイテムを消費可能なゲームパートを判別し、前記一の仮想アイテムを消費可能なゲームパートに前記所定のイベントを追加することを特徴とする。
【００１０】
以上の態様では、余剰の仮想アイテムを消費可能なイベントを発生させることにより、余剰の仮想アイテムを削除したり、売却したりすることなく、ゲーム内でのプレイにより消費することができる。余剰の仮想アイテムを有効的に消費させる機会を提供することができる。
【００１１】
本態様において、アイテム判別部は、仮想ユーザの所有する仮想アイテムの数が、所定の閾値以上であるか否かを判別する。仮想アイテムは、クエストパート、バトルパート等の各ゲームパートで使用可能である。例えば、クエストパートで冒険ルートを進行するのに必要なクエスト用ポイントを回復させる機能を有する回復アイテムや、バトルパートで敵を倒すのに必要なバトル用ポイントを回復させる機能を有する回復アイテムがある。ゲームにおいては、通常、時間の経過とともにポイントが回復するしくみになっているが、回復アイテムを使用すれば、時間の経過を待つことなくポイントを回復させることができる。閾値は、仮想アイテムごとに設定された値である。閾値は、全ての仮想ユーザで共通の値であってもよく、仮想ユーザの属性値によって異なる値であってもよい。
【００１２】
イベント発生部は、一の仮想アイテムの数が所定の閾値以上であるとアイテム判別部が判別した場合に、イベントを発生させる。例えば、「通常の設定状態」から「イベント発生状態」へゲーム設定を変更する。「イベントの発生」とは、ゲーム内における通常の設定状態に新たに特別な要素を追加したり、通常の設定状態における一の要素を変化させたりすることをいう。例えば、クエスト用アイテムを消費可能なイベントとしては、通常の冒険ルート以外の特別なルートを出現させるイベントが挙げられる。これは、通常の設定状態に新たに特別な要素を追加した例である。余剰のクエスト用アイテムを消費する機会を提供することができる。また、バトル用アイテムを消費可能なイベントとしては、敵となるモンスターを通常より多く発生させるイベントが挙げられる。これは、通常の設定状態のおけるモンスターの出現する確率を変化させた例である。余剰のバトル用アイテムを消費する機会を提供することができる。
【００１３】
（２）本発明に係るゲームサーバの好ましい態様では、前記イベント発生部は、前記所定のイベントとして、前記仮想ユーザが前記一の仮想アイテムを消費することにより前記一の仮想アイテムとは別の他の仮想アイテムを取得できるイベントを追加することを特徴とする。
【００１４】
以上の態様では、例えば、通常の冒険ルート以外の特別なルートを出現させるイベントにおいて、特別なルートの最終地点に到達したことに対する報酬を設定する。実ユーザは特別なルートの最終地点に到達するためにクエスト用アイテムを消費する。最終地点に到達すると、報酬としてクエスト用アイテム以外の仮想アイテムを取得することができる。また、敵となるモンスターを発生させるイベントにおいて、モンスターを討伐したことに対する報酬を設定する。仮想ユーザはモンスターを攻撃するためにバトル用アイテムを消費する。モンスターを倒すと、報酬としてバトル用アイテム以外の仮想アイテムを取得することができる。
【００１５】
本態様では、ゲーム内でのプレイのために一の仮想アイテムを消費すると、他の仮想アイテムを取得することができるという、いわゆる仮想アイテムの交換が生じる。一の仮想アイテムを他の仮想アイテムと直接交換するのではなく、ゲーム内でのプレイが介在する。このように、余剰の仮想アイテムを有効的に活用することができる。
【００１６】
（３）本発明に係るゲームサーバの好ましい態様では、前記イベント発生部は、前記仮想ユーザの所有する仮想アイテムのうち、所有数が所定の閾値未満である仮想アイテムを抽出し、前記他の仮想アイテムとして、前記抽出した仮想アイテムを取得できるイベントを追加することを特徴とする。
【００１７】
以上の態様では、仮想ユーザが一の仮想アイテムを消費した場合に、不足の仮想アイテムを付与することにより、仮想ユーザの所有する各仮想アイテムの数をバランスよく整えることができる。余剰の仮想アイテムによって不足の仮想アイテムを補うような形で有効的に活用することができる。
【００１８】
（４）本発明に係るゲームサーバの好ましい態様では、前記イベント発生部は、前記イベントを発生させる確率を、所有数が所定の閾値以上であると判別しなかった場合と比較して高く設定することを特徴とする。
【００１９】
以上の態様では、例えば、敵となるモンスターを出現させるにあたり、モンスターの出現する確率を高く設定する。イベントを発生させる確率を高く設定すると、仮想ユーザが一の仮想アイテムを消費する機会を多く提供することができる。
【００２０】
（５）本発明に係るゲームサーバの好ましい態様では、前記アイテム判別部は、前記イベント発生部が前記イベントを発生させた後に、前記仮想ユーザの所有する前記一の仮想アイテムの数が、前記所定の閾値未満であるか否かを判別し、前記イベント発生部は、前記一の仮想アイテムの数が前記所定の閾値未満であると前記アイテム判別部が判別した場合に、前記イベントを終了させることを特徴とする。
【００２１】
以上の態様では、仮想ユーザの所有する対象アイテムの数が、所定の閾値未満となるまでイベント期間が続くため、当該仮想ユーザは、余剰の仮想アイテムを確実に消費することができ、実ユーザのゲームに対するプレイ意欲を高めることができる。
【００２２】
（６）本発明に係るゲームサーバの好ましい態様では、前記アイテム判別部は、前記イベントの終了時に前記一の仮想アイテムの数が前記所定の閾値以上であるか否かを判別し、前記一の仮想アイテムの数が前記所定の閾値以上であると前記アイテム判別部が判別した場合に、前記一の仮想アイテムに対して使用期限を設定する期限設定部をさらに備えることを特徴とする。
【００２３】
以上の態様では、イベント発生部がイベントを発生させたにもかかわらず、対象アイテムの数が所定の閾値未満にならなかった場合には、対象アイテムに使用期限が設定される。使用期限を過ぎると対象アイテムを使用することができなくなってしまい、もったいないという印象を実ユーザに与えることができる。これにより、余剰の仮想アイテムを消費するよう実ユーザを誘導することができる。
【００２４】
また、本発明のゲームサーバは、通信ネットワークを介して接続された各端末からの操作データによって、仮想空間に存在する仮想ユーザの動作を管理するゲームサーバであって、前記仮想ユーザの所有する仮想アイテムの数が、所定の閾値以上であるか否かを判別するアイテム判別部と、一の仮想アイテムの数が所定の閾値以上であると前記アイテム判別部が判別した場合に、前記仮想ユーザが前記一の仮想アイテムを消費可能なイベントを発生させるイベント発生部と、前記アイテム判別部が前記イベントの終了時に前記一の仮想アイテムの数が前記所定の閾値以上であるか否かを判別し、前記一の仮想アイテムの数が前記所定の閾値以上であると前記アイテム判別部が判別した場合に、前記一の仮想アイテムに対して使用期限を設定する期限設定部と、を備えることを特徴とする。
以上のような本発明は、いずれの態様においても、上記ゲームサーバの発明を、そのゲームサーバで提供するゲームの進行を制御するゲーム制御方法、ゲームプログラム、ゲームプログラムを記録したゲームプログラム記録媒体及びゲームシステムとして捉えることも可能である。
【発明の効果】
【００２５】
本発明によれば、ゲーム内で獲得した余乗する仮想アイテムをゲーム内のプレイにより有効に消費することが可能なゲームサーバ、ゲームサーバで提供するゲームの進行を制御するゲーム制御方法、ゲームプログラム、ゲームプログラムを記録したゲームプログラム記録媒体及びゲームシステムを提供することができる。
【図面の簡単な説明】
【００２６】
【図１】本発明が適用されたゲームシステムのシステム構成を示す図である。
【図２】本発明が適用されたゲームサーバが提供するソーシャルゲームの構成について説明するための図である。
【図３】本発明が適用されたゲームサーバのハードウェア構成を示す図である。
【図４】本発明が適用されたゲームサーバが実行する各処理部の構成を示す図である。
【図５】ゲームデータ処理部の全体的なフローを説明するための図である。
【図６】アイテムデータテーブルの具体例について説明するための図である。
【図７】閾値データテーブルの具体例について説明するための図である。
【図８】イベント内容データテーブルの具体例について説明するための図である。
【図９】イベント発生確率データテーブルの具体例について説明するための図である。
【図１０】イベント発生期間データテーブルの具体例について説明するための図である。
【図１１】所有アイテムデータテーブルの具体例について説明するための図である。
【図１２】属性データテーブルの具体例について説明するための図である。
【図１３】本実施形態のゲームデータ処理部で行われる処理の全体的なフローについて説明するための図である。
【図１４】アイテム判別処理の具体的手順について説明するための図である。
【図１５】イベント発生処理の具体的手順について説明するための図である。
【図１６】アイテム付与処理の具体的手順について説明するための図である。
【図１７】（Ａ）通常の設定状態を示す図である。（Ｂ）イベント発生状態を示す図である。
【図１８】イベント発生処理の変形例の具体的手順について説明するための図である。
【図１９】他の実施形態のゲームデータ処理部で行われる処理の全体的なフローについて説明するための図である。
【図２０】期限設定処理の具体的手順について説明するための図である。
【発明を実施するための形態】
【００２７】
本発明を実施するための形態（以下、本実施形態という。）について具体例を示して説明する。本実施形態は、ゲームサーバと通信ネットワークを介して接続された端末にゲームを提供するゲームシステムに関する。具体的には、図１に示すように、本実施形態のゲームシステムＧは、ユーザにゲームを提供するゲームサーバ１と、ゲームサーバ１と通信ネットワークであるインターネット２を介して接続された端末３ａ、３ｂ、３ｃ、・・・、３ｎ（以下、総称して端末３ともいう。）と、を備える。
【００２８】
以下では、まず、実施形態の説明に先立って、本実施形態において用いる用語の定義を明確にし、さらに本実施形態において扱うソーシャルゲームの概要について説明した後、ゲームシステムＧの構成及び処理内容について具体的に説明する。
【００２９】
（１）用語の定義
本実施形態において用いる用語の定義は以下の通りである。
【００３０】
「仮想空間」とは、ゲームの内容に基づいてゲーム中に形成される仮想の世界を示し、物理空間とは異なる空間を指す。端末３のディスプレイ（表示部）に表示される「仮想空間」は２次元であるが、他の端末３との繋がりも加わって形成される観念的空間は、２次元空間に限られない。
【００３１】
「実ユーザ」とは、端末を操作する実体、すなわち人に当たるものをいう。一方、この実体である「実ユーザ」の端末におけるボタンやタッチ操作によって、仮想空間において、ユーザに成り代わった、またはユーザの趣向や好みに応じて形成された仮想実体を「仮想ユーザ」という。この「仮想ユーザ」には、例えば、旧来の将棋ゲームや麻雀ゲームのプレイヤのように、その仮想実体はゲーム上視認できないが、「実ユーザ」に成り代わった存在として仮想空間内で操作される駒や牌も含まれる。「仮想ユーザ」には、また、ロールプレイングゲームや対戦ゲームにおいてゲーム上で表示され、移動やアクションを起こす視認可能な特定のキャラクタも含まれる。さらに「仮想ユーザ」には、ＳＮＳにおけるアバターとして表示される仮想実体も含まれる。このように、本実施形態における「仮想ユーザ」は、仮想空間における仮想実体を広く表す用語として用い、それがゲーム上で具現化された仮想実体であるか、具現化されない影として機能する仮想実体であるかは問わない。
【００３２】
（２）ソーシャルゲームの概要
続いて、ゲームサーバ１からインターネット２を介して接続された端末３に提供されるソーシャルゲームについて、その概要を、図２を参照して説明する。
【００３３】
一般にソーシャルゲームは、実ユーザによる端末３の操作に応じた動作を行う仮想ユーザを介して、仮想空間内において、例えば、数百種類など多種類のキャラクタが付された仮想的なカード（以下、単にカードという。）の中から、所定枚数からなるカードのアイテムリスト（以下、デッキともいう。）を作成するゲームである。より具体的には、デッキに搭載したカードのレベルアップやグループの選択を行いつつ、仮想空間上で出現する敵とカード同士で対戦したり、他の仮想ユーザとカードのトレードを行うなどして、カードを強化、収集していくものである。カード同士の対戦では、デッキを構成する各カードの攻撃力や防御力、所定のカードの組合せにより一定の効力を得るスキル（カードゲームや麻雀でいうところの「役」に当たる。）などに基づいて、敵に与えるダメージや勝敗が決する。
【００３４】
ソーシャルゲームは、複数のゲームパート（以下、単に「パート」ともいう）が有機的に組み合わさることにより、一つのストーリーやキャラクタが完成し、全体として一つのゲームとして成立する。例えば、ソーシャルゲーム２０は、図２に示すように、クエストパート２１と、バトルパート２２と、ガチャパート２３と、強化パート２４と、を備える。
【００３５】
クエストパート２１は、「探索、探求、冒険」などの意義を有する「クエスト」という言葉が表す通り、仮想ユーザが仮想空間を探索して、探索中に出現する敵と対戦したり、新たなカードを獲得したり、仮想ユーザのレベル向上を行うことにより、進捗するゲームを構成する一部分である。クエストパート２１では、仮想ユーザに所定のクエスト用ポイントが与えられ、仮想ユーザの移動、アイテムの獲得やレベルの向上などは、このクエスト用ポイントを消費することで行われる。また、クエストパート２１では、バトル用ポイントを消費して仮想ユーザが所有するカードを用いることで、出現した敵と対戦が行われる。
【００３６】
バトルパート２２は、仮想ユーザが所有するカードが組み込まれたデッキを用いて、他の仮想ユーザを敵として対戦するパートであり、上述したデッキを構成する各カードの攻撃力及び防御力に基づいて勝敗が決する。
【００３７】
ガチャパート２３は、硬貨を自動販売機に投入してカプセルに包装されたおもちゃであるカプセルトイが出てくる様子を表した「ガチャガチャ」（登録商標）に由来するものであり、例えば、仮想ユーザが、硬貨の代わりに仮想的に与えられるガチャ用ポイントやガチャ用の権限を用いて、カードごとの出現率に基づいてランダムにカードを取得するパートである。
【００３８】
強化パート２４は、仮想ユーザが所有しているカードを合成してカードの強さを表すレベルを上げることで、デッキに組み込まれた時に、敵に与える攻撃力や、敵からの攻撃を防御する防御力などを強化するパートである。
【００３９】
以上のような複数のパートから構成されるソーシャルゲーム２０は、各パート単体が他のゲームパートから独立したものではなく、上述したように、各パートが互いに関係し合い、組み合わさることで、ゲーム全体としての意義を有するものとなっている。したがって、ソーシャルゲーム２０では、仮想ユーザが各ゲームパートを有効に進捗させることで、全体として一つのゲームを進行させることができる。
【００４０】
（３）基本的なハードウェア構成
（３−１）端末の構成
以上のようなソーシャルゲーム２０の定義に基づき、以下、本実施形態のゲームシステムＧを実現するためのハードウェア構成について説明する。
【００４１】
図１に示すように、端末３は、例えば、無線通信部３１と、表示部３２と、操作部３３と、を備える携帯型無線通信端末により構成される。無線通信部３１は、携帯電話回線や無線ＬＡＮ回線を用いてインターネット２に接続し、ウェブブラウザ上でゲームサーバ１とデータ通信を行う。表示部３２は、ゲームサーバ１から受信したウェブブラウザの画面を表示する。操作部３３は、例えば、表示部３２の画面上の表示に従って実ユーザからの操作入力を受け付けるタッチパネルから構成される。このようにして実ユーザから受け付けられた操作入力は、無線通信部３１によりゲームサーバ１に送信される。
【００４２】
このようなハードウェア構成を有する端末３では、例えば、予め登録したユーザＩＤと所定のパスワードとの組合せにより、端末の個体認証処理を行う。そして、端末３は、ゲームサーバ１との間での認証が完了すると、ゲームサーバ１からゲームを進行するのに必要なデータを受信するとともに、操作部３３における操作データをゲームサーバ１に送信する。
【００４３】
なお、端末３は、通信ネットワークであるインターネット２を介してゲームサーバ１と通信可能な通信装置であれば、携帯電話機、ＰＤＡ、パーソナルコンピュータなどであってもよい。また、操作部３３の例としてタッチパネルを挙げたが、もちろん物理的なキー操作によってカーソルなどを移動させて選択操作を行い、情報の入力を行うような構成を採用してもよい。
【００４４】
（３−２）ゲームサーバの概略構成
端末３と通信可能に接続されるゲームサーバ１は、例えば図３に示すような汎用的なハードウェア構成を有するコンピュータにより実現される。すなわち、ゲームサーバ１は、図３に示すように、インターネット２を介して端末３と通信を行う通信インタフェース部１１と、キーボードやマウスなどのユーザからの操作入力を受ける操作入力部１２とを備える。また、ゲームサーバ１は、各種演算処理を行うＣＰＵなどの演算処理部１３と、演算処理データを一時的に記憶するＳＲＡＭやＤＲＡＭなどのメインメモリ１４と、アプリケーションプログラム及び各種データが記憶されたハードディスクなどの記憶装置１５と、演算処理結果を表示するディスプレイ１６とを備える。
【００４５】
ゲームサーバ１は、このようなソーシャルゲーム２０をユーザに提供するためのプログラムを記憶装置１５にインストールすることで、図４に示すような機能ブロックが実現される。
【００４６】
すなわち、ゲームサーバ１では、例えば図４に示すような、操作データ受信部１１ａと、ゲームデータ処理部１００と、ゲームデータを管理するゲームデータ記憶部２００とからなる機能が実現される。
【００４７】
操作データ受信部１１ａは、通信ネットワーク２を通じて、端末３から送られてくる操作データを受信する手段である。ゲームデータ処理部１００は、クエストパート処理部１０１とバトルパート処理部１０２とガチャパート処理部１０３と強化パート処理部１０４と、アイテム判別部４１と、イベント発生部４２とを有する。
【００４８】
ここで、クエストパート処理部１０１は、クエストパート２１のデータ処理を行う。また、バトルパート処理部１０２は、バトルパート２２のデータ処理を行う。ガチャパート処理部１０３は、ガチャパート２３のデータ処理を行う。強化パート処理部１０４は、強化パート２４のデータ処理を行う。アイテム判別部４１とイベント発生部４２の詳細は、後述する。
【００４９】
（３−３）ゲームサーバの具体的構成
以下では、本実施形態で特有の構成を有するゲームデータ処理部１００と、このゲームデータ処理部１００における処理を実現するための記憶領域となるゲームデータ記憶部２００の具体的な構成について図５等を参照して説明する。まず、ゲームデータ記憶部２００の構成について説明する。
【００５０】
（３−３−１）ゲームデータ記憶部の構成
まず、ゲームデータ処理部１００で用いるデータとして、ゲームデータ記憶部２００は、図５に示すように、アイテムデータテーブル２１１と、閾値データテーブル２１２と、イベント内容データテーブル２１３と、イベント発生確率データテーブル２１４と、イベント発生期間データテーブル２１５と、仮想ユーザデータ記憶部２１０と、を有する。
【００５１】
（アイテムデータテーブル２１１：図６）
アイテムデータテーブル２１１は、図６に示すように、ゲーム内で使用可能な仮想アイテムについて一覧で管理したものである。
【００５２】
各仮想アイテムには、「アイテムＩＤ」として、アイテムごとに固有の数字が与えられている。
【００５３】
図６に示すように、アイテムＩＤ１０００１は、クエストパート２１で使用可能なクエスト用アイテムである。また、アイテムＩＤ１０００２は、バトルパート２２で使用可能なバトル用アイテムである。これらのクエスト用アイテム、バトル用アイテムはそれぞれ、仮想ユーザがクエストパート２１において消費したクエスト用ポイント、バトルパート２２において消費したバトル用ポイントを回復させる機能を有している。例えば、クエスト用ポイントは、３分で１ポイント回復するというように、所定時間経過するごとに仮想ユーザに付与することが可能である。仮想ユーザがクエスト用ポイントを１００消費してしまっていた場合、５時間待つとクエスト用ポイントが全て回復することになる。しかし、クエスト用ポイントが回復するのを待てず、すぐにクエスト用ポイントを回復させたいときには、実ユーザはクエスト用アイテムを使用するのがよい。
【００５４】
図６に示すように、アイテムＩＤ１０００３は、ガチャパート２３で使用可能なガチャ用アイテムである。これらのガチャ用アイテムは、当該仮想ユーザにゲーム内で使用可能なカードを付与する機能を有する。
【００５５】
図６に示すように、アイテムＩＤ１０００４は、強化パート２４で使用可能な強化用アイテムである。これらの強化用アイテムは、仮想カードに表示される攻撃力や防御力等の能力値を高める機能を有している。
【００５６】
「アイテム画像」とは、仮想アイテムを表した画像データであり、このような画像データが組み込まれた表示処理データが、ゲームサーバ１から端末３に送信される。
【００５７】
（閾値データテーブル２１２：図７）
閾値データテーブル２１２は、図７に示すように、各仮想ユーザが所有する各仮想アイテムの数が所定の閾値以上であるか否かを判別する際に使用される閾値情報を記憶している。閾値は、仮想ユーザの属性値によって異なる値である。仮想ユーザの属性値が高い程、閾値は高い値となる。具体的に、図７（Ａ）の閾値データテーブル２１２には、仮想ユーザの属するレベルに基づいた閾値が記憶されている。図７（Ｂ）の閾値データテーブル２１２には、仮想ユーザのゲーム内ランキングに基づいた閾値が記憶されている。
【００５８】
「レベル」は、ゲーム内での仮想ユーザの進捗度を表す数値である。仮想ユーザがゲーム内で定められた任務を達成することにより増加するパラメータとして「経験値」があり、この「経験値」が特定の値に達すると仮想ユーザの「レベル」が上昇する。経験値とレベルは、一定の比例関係であってもよく、レベルが高くなるにつれて、レベルを１段階上昇させるのに必要な経験値が増加するように設定することもできる。例えば、経験値が１００に達すると、レベルが１から２に上昇し、さらに経験値が１２０増加すると、レベルが２から３に上昇する。
【００５９】
「ランキング」とは、ゲーム内での仮想ユーザの順位を表す数値である。ランキングの集計は、期間を限定してもよい。例えば、１日ごと、１週間ごと、１ヶ月ごとに行われる。また、順位を算出する対象となるゲーム内パラメータとしては、例えば、敵となるモンスターを討伐した数や、冒険ルートに設置された箱を獲得した数等が挙げられる。
【００６０】
（イベント内容データテーブル２１３：図８）
イベント内容データテーブル２１３は、図８に示すように、各仮想アイテムを使用可能なイベント情報を記憶している。例えば、クエストパートでは、イベント発生期間中、通常冒険ルート以外に秘密ルートが出現する。「秘密ルートの出現」イベントは、アイテムＩＤ１０００１の仮想アイテム（クエスト用アイテム）が使用可能なイベントである。また、バトルパートでは、イベント発生期間中にモンスターが出現する。「モンスターの出現」イベントは、アイテムＩＤ１０００２の仮想アイテム（バトル用アイテム）が使用可能なイベントである。
【００６１】
（イベント発生確率データテーブル２１４：図９）
イベント発生確率データテーブル２１４は、図９に示すように、各端末へイベントに係る画像を出力する確率情報、すなわち、各端末の操作画面においてイベントが発生する確率情報を記憶している。具体的に、図９のイベント発生確率データテーブル２１４には、「モンスターの出現」イベントにおける確率情報が記憶されている。「モンスターの出現」は、上記のとおり、バトルパートで発生するイベントの１種である。「モンスター」は、仮想空間において仮想ユーザの敵として存在する対象である。実ユーザは、操作画面において「攻撃」と表示されたボタンアイコン等を操作することにより、モンスターを倒すことができる。なお、対象は敵となる存在であればモンスターに限らず、他の仮想ユーザであってもよい。
【００６２】
図９（Ａ）のイベント発生確率データテーブル２１４には、１エリアに出現するモンスターの平均数が記憶されている。１エリアに出現するモンスターの平均数が多い程、モンスターの出現率が高いといえる。ここでいう「エリア」とは、バトルパートにおける特定の範囲を意味し、ゲームによっては、ステージ又はフィールドに置き換えられる。
【００６３】
図９（Ｂ）のイベント発生確率データテーブル２１４には、ランクの異なる３体のモンスターの出現率が記憶されている。「モンスターのランク」とは、例えば図９（Ｂ）に示すように、ランクの高い順に「Ａ級」、「Ｂ級」、「Ｃ級」と表される。モンスターのランクが高い程、倒したときに仮想ユーザが獲得できる仮想アイテムを有利なものに設定することができる。対象が他の仮想ユーザである場合には、モンスターのランクは他の仮想ユーザのレベルに置き換えられる。
【００６４】
図９（Ａ）では、各仮想ユーザの所有する仮想アイテムの数が所定の閾値以上である場合には、そうでない場合と比較してモンスターの出現率が高く、当該仮想アイテムの数と所定の閾値との差が大きい程、モンスターの出現率がより高い。図９（Ｂ）では、各仮想ユーザの所有する仮想アイテムの数が所定の閾値以上である場合には、そうでない場合と比較してランクの高いモンスターの出現率が高く、当該仮想アイテムの数と所定の閾値との差が大きい程、ランクの高いモンスターの出現率がより高い。
【００６５】
（イベント発生期間データテーブル２１５：図１０）
イベント発生期間データテーブル２１５は、図１０に示すように、各端末へイベントに係る画像を出力する期間情報、すなわち、各端末の操作画面においてイベントが発生する期間を記憶している。各仮想ユーザの所有する仮想アイテムの数と所定の閾値との差が大きい程、イベント発生期間がより長い。
【００６６】
仮想ユーザデータ記憶部２１０は、所有アイテムデータテーブル２２１と、属性データテーブル２２２と、を有する。
【００６７】
（所有アイテムデータテーブル２２１：図１１）
所有アイテムデータテーブル２２１は、図１１に示すように、各仮想ユーザが所有する仮想アイテムの識別情報を記憶している。具体的に、所有アイテムデータテーブル２２１には、アイテムＩＤごとに、仮想アイテムの所有数が記憶されている。
【００６８】
図１１より、例えば、ユーザＩＤ３０００１の仮想ユーザは、アイテムＩＤ１０００２の仮想アイテム（バトル用アイテム）を５８個所有していることが分かる。
【００６９】
（属性データテーブル２２２：図１２）
属性データテーブル２２２は、図１２に示すように、仮想ユーザごとに、属性情報を記憶している。具体的に、図１２の属性データテーブル２２２には、仮想ユーザのレベル情報及びランキング情報を記憶している。なお、属性情報として、この他に、ゲームへのログイン回数情報や、仲間数情報を記憶していてもよい。
【００７０】
図１２より、例えば、ユーザＩＤ３０００１の仮想ユーザは、レベルが６１であって、ランキングが８２位であることが分かる。
【００７１】
（３−３−２）ゲームデータ処理部の構成
ゲームデータ処理部１００は、図５に示すように、アイテム判別部４１と、イベント発生部４２と、を備える。
【００７２】
アイテム判別部４１は、仮想ユーザの所有する仮想アイテムの数が、所定の閾値以上であるか否かを判別する手段である。仮想ユーザの所有する仮想アイテムのうち一の仮想アイテムを抽出し、当該一の仮想アイテムが所定の閾値以上であるか否かを判別する。閾値は、全ての仮想ユーザで共通の値であってもよく、仮想ユーザの属性値によって異なる値であってもよい。仮想ユーザの属性値としては、レベル、ランキング、仲間数、ゲームへのログイン回数等が挙げられる。
【００７３】
イベント発生部４２は、設定変更部４２１と、アイテム付与部４２２と、を備える。イベント発生部４２は、アイテム判別部が、仮想ユーザの所有する一の仮想アイテムの数が所定の閾値以上であると判別した場合に、一の仮想アイテムを消費可能なイベントを発生させる手段である。具体的に、設定変更部４２１は、通常の設定状態からイベント発生状態へ、ゲームの設定を変更する手段である。まず、設定変更部４２１は、一の仮想アイテムを消費可能なイベントを選択する。そして、イベントを発生させる確率を決定し、イベントを発生させる期間を決定する。これらのイベント条件を総合して、ゲームの設定を変更する。また、アイテム付与部４２２は、一の仮想アイテムを消費可能なイベントにおいて、仮想ユーザが当該一の仮想アイテムを消費した場合に、当該一の仮想アイテム以外の仮想アイテムを当該仮想ユーザに付与する手段である。まず、アイテム付与部４２２は、仮想ユーザに付与する仮想アイテムを決定する。そして、決定した仮想アイテムについて、仮想ユーザが所有する数を記憶したデータテーブルを更新する。また、決定した仮想アイテムを仮想ユーザが取得したことを表示する画像を、仮想ユーザを操作する端末へ出力する。
【００７４】
（４）ゲームサーバにおける処理
本実施形態のゲームサーバにおける処理の一例として、以上のような構成からなるゲームデータ処理部１００の処理について説明する。
【００７５】
（４−１）ゲームデータ処理部における処理の概要
まず、ゲームデータ処理部１００の処理の概要について図１３を用いて説明する。まず、ステップＳ１３０１において、仮想ユーザの所有する仮想アイテムの数が所定の閾値以上であるか否かを判別する処理（アイテム判別処理）を実行する。続いて、ステップＳ１３０２において、仮想ユーザを操作する端末へ、イベントに係る画像を出力する処理（イベント発生処理）を実行する。以下、バトルパート処理部１０２におけるステップＳ１３０１及びステップＳ１３０２の処理について、図１４〜１７を参照して具体的に説明する。なお、これらの処理は、任意の一の仮想ユーザ（以下、対象仮想ユーザ）に対して行われるものとする。同様の処理を繰り返すことにより、全ての仮想ユーザに対してアイテム判別処理およびイベント発生処理を行うことが可能である。
【００７６】
（４−２）アイテム判別処理
ステップＳ１３０１におけるアイテム判別処理の詳細について、図１４を参照して説明する。図１４に示すように、ステップＳ１４０１において、アイテム判別部４１は、図６のアイテムデータテーブル２１１を参照して、特定のゲームで使用可能な仮想アイテム群の中から一の仮想アイテムを抽出する。以下、抽出した仮想アイテムを「対象アイテム」という。
【００７７】
ステップＳ１４０２において、アイテム判別部４１は、図１１の所有アイテムデータテーブル２２１を参照して、対象アイテムについて、対象仮想ユーザが所有する数を読み出す。
【００７８】
ステップＳ１４０３において、アイテム判別部４１は、図７の閾値データテーブル２１２及び図１２の属性データテーブル２２２を参照して、対象アイテムに対する閾値を決定する。具体的には、図１１の属性データテーブル２２２より、対象仮想ユーザの属性情報を読み出す。読み出した属性値に基づいて、図７の閾値データテーブル２１２より、閾値を決定する。
【００７９】
ステップＳ１４０４において、アイテム判別部４１は、対象仮想ユーザが所有する対象アイテムの数は、ステップＳ１４０３で決定した閾値以上であるか否かを判別する。当該対象アイテムの数が所定の閾値以上である場合（ステップＳ１４０４：ＹＥＳ）には、本処理を終了する。一方、当該対象アイテムの数が所定の閾値未満である場合（ステップＳ１４０４：ＮＯ）には、ステップＳ１４０１に戻り、ステップＳ１４０１以下の処理を繰り返す。
【００８０】
以下に、アイテム判別処理の具体例１、２を示す。具体例１は、対象仮想ユーザのレベルに基づいて閾値を決定した場合の例であり、具体例２は、対象仮想ユーザのランキングに基づいて閾値を決定した場合の例である。対象仮想ユーザを、ユーザＩＤ３０００１の仮想ユーザとする。また、ステップＳ１４０１における対象アイテムは、アイテムＩＤ１０００２の仮想アイテム（バトル用アイテム）とする。
【００８１】
（４−２−１）具体例１
図１１の所有アイテムデータテーブル２２１より、ユーザＩＤ３０００１の仮想ユーザは、アイテムＩＤ１０００２の仮想アイテムを５８個所有している（ステップＳ１４０２）。図１２の属性データテーブル２２２より、ユーザＩＤ３０００１の仮想ユーザは、レベルが６１である。レベルが１００以下であるため、図７（Ａ）の閾値データテーブル２１２より、アイテム判別部４１は閾値を５０個と決定する（ステップＳ１４０３）。そして、アイテム判別部４１は、ユーザＩＤ３０００１の仮想ユーザが所有するアイテムＩＤ１０００２の仮想アイテムの数は、所定の閾値以上であると判別し（ステップＳ１４０４）、本処理を終了する。
【００８２】
（４−２−２）具体例２
図１１の所有アイテムデータテーブル２２１より、ユーザＩＤ３０００１の仮想ユーザは、アイテムＩＤ１０００２の仮想アイテムを５８個所有している（ステップＳ１４０２）。図１２の属性データテーブル２２２より、ユーザＩＤ３０００１の仮想ユーザは、ランキングが８２位である。ランキングが１００位以内であるため、図７（Ｂ）の閾値データテーブル２１２より、アイテム判別部４１は閾値を１００個と決定する（ステップＳ１４０３）。そして、アイテム判別部４１は、ユーザＩＤ３０００１の仮想ユーザが所有するアイテムＩＤ１０００２の仮想アイテムの数は、所定の閾値未満であると判別する（ステップＳ１４０４）。図６のアイテムデータテーブル２１１より、一の仮想アイテムを抽出する処理へ戻る。
【００８３】
（４−３）イベント発生処理
ステップＳ１３０２におけるイベント発生処理の詳細について、図１５を参照して説明する。図１５に示すように、ステップＳ１５０１において、設定変更部４２１は、図８のイベント内容データテーブル２１３を参照して、イベントの内容を決定する。具体的には、対象アイテムを消費可能なイベントを選択する。例えば、アイテムＩＤ１０００２の仮想アイテムを消費可能なイベントして、「モンスターの出現」イベントを選択する。
【００８４】
ステップＳ１５０２において、設定変更部４２１は、対象仮想ユーザが所有する対象アイテムの数と、ステップＳ１４０３で決定した閾値との差を算出する。例えば、上記（４−２−１）具体例１の場合、ユーザＩＤ３０００１の仮想ユーザは、アイテムＩＤ１０００２の仮想アイテムを５８個所有している、また、閾値は５０個である。したがって、その差は８個である。
【００８５】
ステップＳ１５０３において、設定変更部４２１は、図９のイベント発生確率データテーブル２１４を参照して、ステップＳ１５０２で算出した差に基づいて、イベントの発生確率を決定する。例えば、ステップＳ１５０２で算出した差が８個であれば、図９（Ａ）のイベント発生確率データテーブル２１４より、モンスターの出現率は、１エリアにつき５体と決定する。また、図９（Ｂ）のイベント発生確率データテーブル２１４より、最もランクの高いモンスターの出現率が２０％、次にランクの高いモンスターの出現率が３５％、最もランクの低いモンスターの出現率が４５％と決定する。
【００８６】
ステップＳ１５０４において、設定変更部４２１は、図１０のイベント発生期間データテーブル２１５を参照して、ステップＳ１５０２で算出した差に基づいて、イベント発生期間を決定する。例えば、ステップＳ１５０２で算出した差が８個であれば、図１０のイベント発生期間データテーブル２１５より、イベント発生期間は３０分と決定する。
【００８７】
ステップＳ１５０５において、設定変更部４２１は、ステップＳ１５０３で決定したイベント発生確率に基づき、対象仮想ユーザについてゲームの設定を変更する処理を実行する。具体的には、通常の設定状態からイベント発生状態へ、対象仮想ユーザを操作する端末に表示する画面を変更する処理を実行する。図１７（Ａ）、（Ｂ）を用いて、変更処理について説明する。
【００８８】
図１７（Ａ）は、通常の設定状態におけるイメージ図である。図１７（Ｂ）は、イベント発生状態におけるイメージ図である。図１７（Ａ）、（Ｂ）は、バトルパートにおけるエリア１〜３にモンスターが出現した状態を示す。通常の設定状態では、図９（Ａ）のイベント発生確率データテーブル２１４より、１エリアにモンスターを２体設置する。その際、Ａ級モンスターが１０％、Ｂ級モンスターが３０％、Ｃ級モンスターが６０％の確率になるように設置する。これに対して、イベント発生状態では、１エリアにモンスターを５体設置する。その際、Ａ級モンスターが２０％、Ｂ級モンスターが３５％、Ｃ級モンスターが４５％の確率になるように設置する。仮想ユーザは各エリアを順番に移動していくことにより、モンスターに遭遇することができる。
【００８９】
ステップＳ１５０６において、アイテム付与部４２２は、対象仮想ユーザを操作する端末より、所定の操作データを受け付けたか否かを判別する。所定の操作データとは、例えばモンスター出現イベントであれば、対象仮想ユーザがモンスターを攻撃して、モンスターが倒れるという操作データがあったか否かを判別する。所定の操作データを受け付けた場合（ステップＳ１５０６：ＹＥＳ）には、ステップＳ１５０７に進む。一方、所定の操作データを受け付けなかった場合（ステップＳ１５０６：ＮＯ）には、ステップＳ１５０８に進む。
【００９０】
ステップＳ１５０７において、アイテム付与部４２２は、対象仮想ユーザへ仮想アイテムを付与する処理（アイテム付与処理）を実行する。アイテム付与処理の詳細については、後述する。
【００９１】
ステップＳ１５０８において、アイテム付与部４２２は、イベント発生期間の終了であるか否かを判別する。イベント発生期間の終了である場合（ステップＳ１５０８：ＹＥＳ）には、本処理を終了する。一方、イベント発生期間の終了でない場合（ステップＳ１５０８：ＮＯ）には、ステップＳ１５０６へ戻り、ステップＳ１５０６以下の処理を実行する。
【００９２】
ステップＳ１５０９において、設定変更部４２１は、対象仮想ユーザについてゲームの設定を変更する処理を実行する。具体的には、イベント発生状態から通常の設定状態へ、対象仮想ユーザを操作する端末に表示する画面を元に戻す処理を実行する。
【００９３】
（４−４）アイテム付与処理
ステップＳ１５０７におけるアイテム付与処理の詳細について、図１６を参照して説明する。図１６に示すように、ステップＳ１６０１において、アイテム付与部４２２は、図１１の所有アイテムデータテーブル２２１を参照して、対象アイテム以外の仮想アイテムについて、対象仮想ユーザが所有する数を読み出す。例えば、対象アイテムがアイテムＩＤ１０００２の仮想アイテムであるとすると、図１１の所有アイテムデータテーブル２２１より、ユーザＩＤ３０００１の仮想ユーザは、アイテムＩＤ１０００１の仮想アイテムを２３個、アイテムＩＤ１０００３の仮想アイテムを３５個、アイテムＩＤ１０００４の仮想アイテムを４８個所有していることが分かる。
【００９４】
ステップＳ１６０２において、アイテム付与部４２２は、図７の閾値データテーブル２１２を参照して、対象アイテム以外の仮想アイテムに対する閾値を決定する。閾値を決定する処理の詳細は、ステップＳ１４０３の処理と同様である。例えば、ユーザＩＤ３０００１の仮想ユーザのレベルに基づいて閾値を決定した場合には、図７（Ａ）の閾値データテーブル２１２より、アイテムＩＤ１０００１の仮想アイテムに対する閾値は５０個、アイテムＩＤ１０００３の仮想アイテムに対する閾値は２０個、アイテムＩＤ１０００４の仮想アイテムに対する閾値は５０個であることが分かる。
【００９５】
ステップＳ１６０３において、アイテム付与部４２２は、対象アイテム以外の仮想アイテムのうち、対象仮想ユーザの所有数がステップＳ１６０２で決定した閾値未満である仮想アイテムを抽出する。例えば、所有数が２３個であって閾値が５０個であるアイテムＩＤ１０００１の仮想アイテム（クエスト用アイテム）、所有数が４８個であって閾値が５０個であるアイテムＩＤ１０００４の仮想アイテム（強化用アイテム）を抽出する。一方、所有数が３５個であって閾値が２０個であるアイテムＩＤ１０００３の仮想アイテム（ガチャ用アイテム）を抽出しない。
【００９６】
ステップＳ１６０４において、アイテム付与部４２２は、対象仮想ユーザに付与する仮想アイテムの種類および個数を決定する。まず、付与する仮想アイテムの種類は、ステップＳ１６０３で抽出した仮想アイテムとする。例えば、クエスト用アイテムと強化用アイテムである。次に、ステップＳ１５０６で受け付けた所定の操作データに基づいて、付与する仮想アイテムの個数を決定する。イベントで出現した媒体に付されたランクが高い程、付与する仮想アイテムの個数を多く設定する。例えば、「モンスターの出現」イベントであれば、仮想ユーザがＡ級モンスターを倒した場合に、仮想アイテムの内容を最も有利なものとする。
【００９７】
ステップＳ１６０５において、アイテム付与部４２２は、対象仮想ユーザについて、図１１の所有アイテムデータテーブル２２１に記憶されている仮想アイテムの所有数を書き換える。具体的には、ステップＳ１６０４で決定した付与する仮想アイテムの内容に基づいて、仮想アイテムの所有数を増加させる。
【００９８】
ステップＳ１６０６において、アイテム付与部４２２は、対象仮想ユーザを操作する端末へ、ステップＳ１６０４で決定した付与する仮想アイテムを表示する画像（アイテム付与画像）を出力する。
【００９９】
（５）効果
本実施形態において、アイテム判別部は、仮想ユーザの所有する仮想アイテムの数が、所定の閾値以上であるか否かを判別する。バトル用アイテムの所有数が所定の閾値以上であると判別した場合に、設定変更部は、バトル用アイテムを強制的に消費可能なようにゲームの設定変更を行う。実ユーザに対して、余剰のバトル用アイテムを消費する機会を提供することができる。実ユーザは、余剰のバトル用アイテムを売却することなく、ゲーム内でのプレイにより消費することができる。これにより、実ユーザのゲームに対するプレイ意欲を継続させることができる。
【０１００】
アイテム判別処理の具体例１において、仮想ユーザの所有する仮想アイテムの数が所定の閾値以上であるか否かを判別する際に使用される閾値は、仮想ユーザのレベルによって変動する。仮想ユーザのレベルが低い場合には閾値が低く設定されるため、仮想ユーザの所有する仮想アイテムの数が所定の閾値以上となりやすい。すなわち、仮想ユーザのレベルが低い場合にはイベントが発生しやすい。仮想ユーザのレベルが低いということは、ゲームを開始してからの操作回数や操作時間が少ないことを意味する。特に、このようなレベルの低い仮想ユーザを操作する実ユーザに対して、仮想アイテムを消費する機会を多く提供することができる。あまり操作をしていない段階におけるゲームの離脱を防止し、継続的にゲームをプレイするよう促すことができる。
【０１０１】
アイテム判別処理の具体例２において、仮想ユーザの所有する仮想アイテムの数が所定の閾値以上であるか否かを判別する際に使用される閾値は、仮想ユーザのランキングによって変動する。仮想ユーザのランキングが低い場合には閾値が低く設定されるため、仮想ユーザの所有する仮想アイテムの数が所定の閾値以上となりやすい。すなわち、仮想ユーザのランキングが低い場合にはイベントが発生しやすい。仮想ユーザのランキングが低いということは、ランキングの対象となるゲーム内パラメータが低いことを意味する。ゲームを開始してからの操作回数や操作時間が少ないため、ゲーム内パラメータが低いと考えられる。特に、このようなランキングの低い仮想ユーザを操作する実ユーザに対して、仮想アイテムを消費する機会を多く提供することができる。あまり操作をしていない段階におけるゲームの離脱を防止し、継続的にゲームをプレイするよう促すことができる。
【０１０２】
本実施形態では、設定変更部は、モンスターを出現させる確率を、仮想ユーザの所有する仮想アイテムの数が所定の閾値以上であると判別しなかった場合と比較して高く設定する。通常の設定状態においてもモンスターは出現するが、イベント発生状態においては、より多くのモンスターが出現する。これにより、実ユーザに対して、モンスターを攻撃するためにバトル用アイテムを消費する機会を多く提供することができる。バトル用アイテムを消費するよう実ユーザを誘導することができる。
【０１０３】
設定変更部は、ランクの高いモンスターを出現させる確率を、仮想ユーザの所有する仮想アイテムの数が所定の閾値以上であると判別しなかった場合と比較して高く設定する。イベント発生状態においては、ランクの高いモンスターが多く出現する。また、アイテム付与部は、仮想ユーザが倒したモンスターのランクが高い程、有利な仮想アイテムを付与する。よって、より有利な仮想アイテムを取得すべく、バトル用アイテムを消費するよう実ユーザを誘導することができる。
【０１０４】
また、設定変更部は、仮想ユーザの所有する仮想アイテムの数と所定の閾値との差が大きい程、モンスターを出現させる確率を高く設定する。また、ランクの高いモンスターを出現させる確率を高く設定する。これにより、実ユーザに対して、モンスターを攻撃するためにバトル用アイテムを消費する機会をより多く提供することができる。そして、バトル用アイテムを消費するよう実ユーザを誘導することができる。
【０１０５】
さらに、設定変更部は、仮想ユーザの所有する仮想アイテムの数と所定の閾値との差が大きい程、イベント発生期間を長く設定する。これにより、実ユーザは、余剰のバトル用アイテムを消費する機会をより多く提供することができる。バトル用アイテムをより多く消費するよう実ユーザを誘導することができる。
【０１０６】
本実施形態では、アイテム付与部は、仮想ユーザがイベントでバトル用アイテムを消費した場合に、バトル用アイテム以外の他の仮想アイテムを付与する。これにより、ゲーム内でのプレイにより、バトル用アイテムを他の仮想アイテムと交換することができる。余剰のバトル用アイテムを有効的に活用することができる。他の仮想アイテムを取得することにより、実ユーザは当該他の仮想アイテムを引き続きゲームに利用することができる。特に、バトル用アイテム以外の他の仮想アイテムを取得することにより、実ユーザはバトル用アイテムを使用可能なゲームパート以外において幅広くプレイすることができる。実ユーザがゲームに飽きないように維持することができる。
【０１０７】
また、アイテム付与部は、仮想ユーザの所有する仮想アイテムのうち、所有数が所定の閾値未満である仮想アイテムを、他の仮想アイテムとして選択する。仮想ユーザが一の仮想アイテムを消費した場合に、不足の仮想アイテムを付与することにより、仮想ユーザの所有する各仮想アイテムの数をバランスよく整えることができる。余剰の仮想アイテムによって不足の仮想アイテムを補うような形で有効的に活用することができる。
【０１０８】
（６）その他
本実施形態のイベント発生処理では、対象仮想ユーザの所有する対象アイテムの数と所定の閾値に基づいてあらかじめイベント期間を決定したが、イベント期間はあらかじめ決定しなくてもよい。例えば、アイテム判別部は、イベント発生部がイベントを発生させた後に、対象仮想ユーザの所有する対象アイテムの数が、所定の閾値未満となった時点でイベントを終了させてもよい。このようなイベント発生処理の変形例について、図１８を参照して説明する。なお、ステップＳ１８０１〜１８０６およびステップＳ１８０８の処理は、ステップＳ１５０１〜ステップＳ１５０３、ステップＳ１５０５〜ステップＳ１５０７およびステップＳ１５０９と同様であるため、説明を省略する。
【０１０９】
図１８に示すように、ステップＳ１８０７において、アイテム判別部４１は、対象仮想ユーザが所有する対象アイテムの数は、ステップＳ１４０３で決定した閾値未満であるか否かを判別する。当該対象アイテムの数が所定の閾値未満である場合（ステップＳ１８０７：ＹＥＳ）には、ステップＳ１８０８へ進む。一方、当該対象アイテムの数が所定の閾値以上である場合（ステップＳ１８０７：ＮＯ）には、ステップＳ１８０５に戻り、ステップＳ１８０５以下の処理を繰り返す。
【０１１０】
上記変形例では、対象仮想ユーザの所有する対象アイテムの数が、所定の閾値未満となるまでイベント期間が続くため、対象仮想ユーザは、余剰の仮想アイテムを確実に消費することができ、実ユーザのゲームに対するプレイ意欲を高めることができる。
【０１１１】
また、本実施形態では、イベント期間中に、対象仮想ユーザの所有する対象アイテムの数が減少しなかったとしても、その後に何も処理は行われない。しかし、例えば、イベントの終了時に対象アイテムの数が所定の閾値以上である場合には、当該対象仮想アイテムに対して使用期限を設定する処理をさらに行ってもよい。このような本実施形態の変形例について、図１９、２０を参照して説明する。
【０１１２】
図１９に示すように、図１３と同様、ステップＳ１９０１において、アイテム判別処理を実行し、続いてステップＳ１９０２において、イベント発生処理を実行する。さらに、ステップ１９０３において、アイテム判別部４１は、イベントの終了時における対象仮想ユーザが所有する対象アイテムの数は、ステップＳ１４０３で決定した閾値以上であるか否かを判別する。当該対象アイテムの数が所定の閾値以上である場合（ステップＳ１９０３：ＹＥＳ）には、ステップＳ１９０４へ進み、対象アイテムに対して使用期限を設定する処理（期限設定処理）を実行する。一方、当該対象アイテムの数が所定の閾値未満である場合（ステップＳ１９０３：ＮＯ）には、本処理を終了する。期限設定処理の詳細は後述する。
【０１１３】
図２０に示すように、ステップＳ２００１において、期限設定部（図示せず）は、イベントの終了時における対象仮想ユーザが所有する対象アイテムの数と、ステップＳ１４０３で決定した閾値との差を算出する。
【０１１４】
ステップＳ２００２において、期限設定部は、ステップＳ２００１で算出した差に基づいて、対象仮想ユーザの所有する対象アイテムの使用期限を決定する。具体的に、対象アイテムの使用期限は、算出した差が大きいほど、より長くなるように決定される。また、対象仮想ユーザの所有する対象アイテムについて、使用期限を設定する数は任意に決定することができる。
【０１１５】
上記他の実施形態では、使用期限を過ぎると対象アイテムを使用することができなくなってしまい、もったいないという印象を実ユーザに与えることができる。これにより、余剰の仮想アイテムを消費するよう実ユーザを誘導することができる。
【０１１６】
また、本発明は、上記の実施形態の機能を実現するソフトウェアのプログラムが記録された非一時的な記録媒体をシステム又は装置に提供し、当該システム又は装置のコンピュータ、すなわちＣＰＵ又はＭＰＵに、当該非一時的な記録媒体に記録されたプログラムを読み出して実行させることによって実現してもよい。
【０１１７】
この場合、当該非一時的な記録媒体から読み出されたプログラムは、上述の実施形態の機能を実現する。したがって、当該プログラム及び当該プログラムが記録された非一時的な記録媒体も、本発明の一態様である。
【０１１８】
当該プログラムを提供する非一時的な記録媒体は、例えばフレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷなどの光ディスク、磁気テープ、不揮発性メモリカード、及びＲＯＭを含む。或いは、当該プログラムは、通信ネットワークを介してダウンロード可能であってもよい。
【０１１９】
さらに、上記の実施形態の機能は、コンピュータが当該プログラムを読み出して実行するだけではなく、コンピュータ上で動作するＯＳ（operating system）等に、当該プログラムの指示に基づき実際の操作の一部又はすべてを実行させることによって実現してもよい。
【０１２０】
さらに、上記の実施形態の機能は、非一時的な記録媒体から読み出されたプログラムを、コンピュータに挿入された拡張ボードに設けられたメモリ、又は、コンピュータに接続された拡張装置に設けられたメモリに書き込み、拡張ボード又は拡張装置に設けられたＣＰＵ等に、プログラムの指示に基づき実際の処理のすべて又は一部を実行させることによって実現されてもよい。
【０１２１】
典型的な実施形態を参照して本発明を説明したが、本発明は、ここに開示する典型的な態様に限定されないことはもちろんである。特許請求の範囲は、このような変更と、同等の構造及び機能とをすべてを含むように最も広く解釈することが可能である。
【符号の説明】
【０１２２】
Ｇ  ゲームサーバ
１１ａ 操作データ受信部
４１  アイテム判別部
４２  イベント発生部
４２１  設定変更部
４２２  アイテム付与部
２１１  アイテムデータテーブル
２１２  閾値データテーブル
２１３  イベント内容データテーブル
２１４  イベント発生確率データテーブル
２１５  イベント発生期間データテーブル
２２１  所有アイテムデータテーブル
２２２  属性データテーブル
【要約】
【課題】ゲーム内で獲得した仮想アイテムの消費を促すことにより実ユーザのゲームをプレイする意欲を高めるゲームサーバ、ゲームサーバで提供するゲームの進行を制御するゲーム制御方法、ゲームプログラム、ゲームプログラムを記録したゲームプログラム記録媒体及びゲームシステムを提供する。
【解決手段】ゲームデータ処理部１００は、アイテム判別部４１と、イベント発生部４２と、を備える。アイテム判別部４１は、仮想ユーザの所有する仮想アイテムの所有数が、所定の閾値以上であるか否かを判別する手段である。仮想ユーザの所有する仮想アイテムのうち一の仮想アイテムを抽出し、当該一の仮想アイテムが所定の閾値以上であるか否かを判別する。イベント発生部４２は、アイテム判別部が、仮想ユーザの所有する一の仮想アイテムの数が所定の閾値以上であると判別した場合に、一の仮想アイテムを消費可能なイベントを発生させる手段である。
【選択図】図５【図１】
0005581529.tif 000002
【図２】
0005581529.tif 000003
【図３】
0005581529.tif 000004
【図４】
0005581529.tif 000005
【図５】
0005581529.tif 000006
【図６】
0005581529.tif 000007
【図７】
0005581529.tif 000008
【図８】
0005581529.tif 000009
【図９】
0005581529.tif 000010
【図１０】
0005581529.tif 000011
【図１１】
0005581529.tif 000012
【図１２】
0005581529.tif 000013
【図１３】
0005581529.tif 000014
【図１４】
0005581529.tif 000015
【図１５】
0005581529.tif 000016
【図１６】
0005581529.tif 000017
【図１７】
0005581529.tif 000018
【図１８】
0005581529.tif 000019
【図１９】
0005581529.tif 000020
【図２０】
0005581529.tif 000021